(57)【特許請求の範囲】
【請求項１】
第１の無線通信デバイスにおいて実現される装置であって、
ＷＬＡＮ期間（ワイヤレスローカルエリアネットワーク期間）および非ＷＬＡＮ期間を定義している共存スケジュールを格納するメモリと、
ＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機と、
非ＷＬＡＮ無線信号を送信する非ＷＬＡＮ送受信機と、
前記ＷＬＡＮ期間においてのみ、前記ＩＢＳＳネットワークにおいて前記ＷＬＡＮ送受信機からの前記ＷＬＡＮ信号の送信を許可する共存回路と
を備え、
前記共存回路はさらに、前記非ＷＬＡＮ期間においてのみ、前記非ＷＬＡＮ送受信機からの前記非ＷＬＡＮ無線信号の送信を許可し、
前記共存回路はさらに、前記ＩＢＳＳネットワークにおける１以上の第２の無線通信デバイスに対して、複数の前記非ＷＬＡＮ期間のそれぞれの前に前記ＷＬＡＮ送受信機から共存要求メッセージを送信させ、
前記１以上の第２の無線通信デバイスが前記非ＷＬＡＮ期間のそれぞれの間にＷＬＡＮ信号を送信することを防ぐように、前記共存要求メッセージはそれぞれ、複数の前記非ＷＬＡＮ期間のそれぞれの長さを示し、
前記共存要求メッセージは、
ベンダ固有動作フレームを含み、
前記ベンダ固有動作フレームは、期間パラメータを含み、
前記期間パラメータは、複数の前記非ＷＬＡＮ期間のそれぞれの長さ、及び、一の前記非ＷＬＡＮ期間と、別の一の前記非ＷＬＡＮ期間との間の期間のうち少なくとも一方の長さを示す装置。
【請求項２】
前記非ＷＬＡＮ無線信号は、
Ｂｌｕｅｔｏｏｔｈ（登録商標）信号、
ＮＦＣ（近距離通信）信号、
ＦＭ信号、および、
ＧＰＳ信号
のうち少なくとも１つを含む請求項１に記載の装置。
【請求項３】
請求項１または２に記載の装置を備える無線通信デバイス。
【請求項４】
携帯電話、
ＰＤＡ（携帯情報端末）、
タブレットコンピュータ、および、
パーソナルコンピュータ
のうち１つとして実現される請求項３に記載の無線通信デバイス。
【請求項５】
８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している請求項３または４に記載の無線通信デバイス。
【請求項６】
コンピュータに、
ＷＬＡＮ期間（ワイヤレスローカルエリアネットワーク期間）および非ＷＬＡＮ期間を定義している共存スケジュールを格納する手順と、
前記ＷＬＡＮ期間においてのみＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ送受信機からのＷＬＡＮ信号の送信を許可する手順と、
前記非ＷＬＡＮ期間においてのみ非ＷＬＡＮ送受信機からの非ＷＬＡＮ無線信号の送信を許可する手順と、
前記ＩＢＳＳネットワークにおける１以上の第２の無線通信デバイスに対して、複数の前記非ＷＬＡＮ期間のそれぞれの前に共存要求メッセージを前記ＷＬＡＮ送受信機から送信させる手順と
を実行させるためのプログラムであって、
前記１以上の第２の無線通信デバイスが前記非ＷＬＡＮ期間のそれぞれの間にＷＬＡＮ信号を送信することを防ぐように、前記共存要求メッセージはそれぞれ、複数の前記非ＷＬＡＮ期間のそれぞれの長さを示し、
前記共存要求メッセージは、
ベンダ固有動作フレームを含み、
前記ベンダ固有動作フレームは、期間パラメータを含み、
前記期間パラメータは、複数の前記非ＷＬＡＮ期間のそれぞれの長さ、及び、一の前記非ＷＬＡＮ期間と、別の一の前記非ＷＬＡＮ期間との間の期間のうち少なくとも一方の長さを示すプログラム。
【請求項７】
前記非ＷＬＡＮ無線信号は、
Ｂｌｕｅｔｏｏｔｈ（登録商標）信号、
ＮＦＣ（近距離通信）信号、
ＦＭ信号、および、
ＧＰＳ信号
のうち少なくとも１つを含む請求項６に記載のプログラム。
【請求項８】
第１の無線通信デバイスにおいて実現される装置であって、
１以上の第２の無線通信デバイスを含むＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機（ワイヤレスローカルエリアネットワーク送受信機）と、
前記ＷＬＡＮ送受信機が共存要求メッセージを受信することに応じて、非ＷＬＡＮ期間において前記ＷＬＡＮ送受信機からＷＬＡＮ信号の送信をしない共存回路と
を備え、
前記共存要求メッセージはそれぞれ、
（ｉ）前記１以上の第２の無線通信デバイスから、複数の前記非ＷＬＡＮ期間のそれぞれの前に前記共存回路によって受信され、
（ｉｉ）一の前記非ＷＬＡＮ期間、および、一の前記非ＷＬＡＮ期間と、別の一の前記非ＷＬＡＮ期間との間の期間のうち少なくとも一方の長さを示し、
前記共存要求メッセージは、
ベンダ固有動作フレームを含み、
前記ベンダ固有動作フレームは、期間パラメータを含み、
前記期間パラメータは、複数の前記非ＷＬＡＮ期間のそれぞれの長さ、及び、一の前記非ＷＬＡＮ期間と、別の一の前記非ＷＬＡＮ期間との間の期間のうち前記少なくとも一方の長さを示す装置。
【請求項９】
前記非ＷＬＡＮ期間に送信される非ＷＬＡＮ信号は、
Ｂｌｕｅｔｏｏｔｈ（登録商標）信号、
近距離通信（ＮＦＣ）信号、
ＦＭ信号、および、
ＧＰＳ信号
のうち少なくとも１つを含む請求項８に記載の装置。
【請求項１０】
請求項８または９に記載の装置を備える無線通信デバイス。
【請求項１１】
携帯電話、
ＰＤＡ（携帯情報端末）、
タブレットコンピュータ、および、
パーソナルコンピュータ
のうち１つとして実現される請求項１０に記載の無線通信デバイス。
【請求項１２】
８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している請求項１０または１１に記載の無線通信デバイス。
【発明の詳細な説明】
【技術分野】
【０００１】
＜関連出願＞
本開示は、米国特許出願第１３／４５８，２２７号（出願日：２０１２年４月２７日、発明の名称：「ＩＢＳＳネットワークのための複数の技術の共存」）および米国仮特許出願第６１／４８１，０７９号（出願日：２０１１年４月２９日、発明の名称：「ＩＢＳＳのためのＷＬＡＮ／ＢＴの共存方式」に基づき優先権を主張する。両特許文献の開示内容はすべて、参照により本願に組み込まれる。
【０００２】
本開示は概して、無線通信に関する。本開示は特に、無線ローカルエリアネットワーク（ＷＬＡＮ）信号とＷＬＡＮ以外の無線信号との共存に関する。
【背景技術】
【０００３】
手持ちプラットフォームにおいてさまざまな無線ネットワーキング技術が多用されていることによって、複数のネットワーキング技術を単一の無線通信デバイスにおいて統合する必要が出てきた。このようなネットワーキング技術のうち、最も広く利用されている２つの技術として、ワイヤレスローカルエリアネットワーク（ＷＬＡＮ）およびＢｌｕｅｔｏｏｔｈ（登録商標）（単にＢＴと表記する場合がある）が挙げられる。これらの技術はどちらも、ライセンスされていない同じ２．４ＧＨｚのＩＳＭ（産業科学医療用）バンドを利用している。このため、これらの技術を共存可能とする集積回路、外部ロジック素子、および、無線通信デバイスの設計に関して大きな問題が生じている。Ｂｌｕｅｔｏｏｔｈ（登録商標）は既知のスケジュールに応じて動作するので、複数の技術が共存する無線通信デバイスは、Ｂｌｕｅｔｏｏｔｈ（登録商標）送信の周囲にＷＬＡＮ送信をスケジューリングすることができる。しかし、Ｂｌｕｅｔｏｏｔｈ（登録商標）のスケジュールはＷＬＡＮリンクパートナーには既知ではないので、受信側では頻繁に衝突が発生する。このような衝突のために、ＷＬＡＮ性能が基準の半分にまで劣化する可能性がある。
【発明の概要】
【０００４】
概して、一の側面によると、実施形態は、第１の無線通信デバイスにおいて実現される装置であって、ＷＬＡＮ期間（ワイヤレスローカルエリアネットワーク期間）および非ＷＬＡＮ期間を定義している共存スケジュールを格納するメモリと、ＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機と、非ＷＬＡＮ無線信号を送信する非ＷＬＡＮ送受信機と、ＷＬＡＮ期間においてのみ、ＩＢＳＳネットワークにおいてＷＬＡＮ送受信機からのＷＬＡＮ信号の送信を許可する共存回路とを備え、共存回路はさらに、非ＷＬＡＮ期間においてのみ、非ＷＬＡＮ送受信機からの非ＷＬＡＮ無線信号の送信を許可し、共存回路はさらに、ＷＬＡＮ送受信機から１以上の共存要求メッセージを送信させ、共存要求メッセージはそれぞれ、一のＷＬＡＮ期間、および、一の非ＷＬＡＮ期間、のうち少なくとも一方の長さを示す、装置を特徴とする。
【０００５】
当該装置の実施形態は、以下に記載する特徴のうち１以上を含むとしてよい。一部の実施形態によると、ＩＢＳＳネットワークは、１以上の第２の無線通信デバイスを含み、１以上の共存要求メッセージに応じて、１以上の第２の無線通信デバイスは、非ＷＬＡＮ期間のそれぞれにおいてＷＬＡＮ信号を送信しない。一部の実施形態によると、非ＷＬＡＮ信号は、Ｂｌｕｅｔｏｏｔｈ（登録商標）信号、ＮＦＣ（近距離通信）信号、ＦＭ信号、および、ＧＰＳ信号のうち少なくとも１つを含む。一部の実施形態によると、共存要求メッセージのうち少なくとも１つは、ｃｌｅａｒ−ｔｏ−ｓｅｎｄ−ｔｏ−ｓｅｌｆフレームを含み、ｃｌｅａｒ−ｔｏ−ｓｅｎｄ−ｔｏ−ｓｅｌｆフレームは、期間パラメータを含み、期間パラメータは、一の非ＷＬＡＮ期間の長さを示す。一部の実施形態によると、共存要求メッセージのうち少なくとも１つは、ベンダ固有動作フレームを含み、ベンダ固有動作フレームは、期間パラメータを含み、期間パラメータは、一の非ＷＬＡＮ期間の長さを示す。一部の実施形態によると、共存要求メッセージのうち少なくとも１つは、ベンダ固有動作フレームを含み、ベンダ固有動作フレームは期間パラメータを含み、期間パラメータは、一の非ＷＬＡＮ期間と、別の一の非ＷＬＡＮ期間との間の期間の長さを示す。一部の実施形態は、当該装置を備える無線通信デバイスを含む。一部の実施形態によると、無線通信装置は、携帯電話、ＰＤＡ（携帯情報端末）、タブレットコンピュータ、および、パーソナルコンピュータのうち１つとして実現される。一部の実施形態によると、無線通信装置は、８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している。
【０００６】
概して、一の側面によると、実施形態は、以下の手順を実行するべくコンピュータによって実行可能な命令を具現化している非一時的なコンピュータ可読媒体を特徴とする。手順には、ＷＬＡＮ期間（ワイヤレスローカルエリアネットワーク期間）および非ＷＬＡＮ期間を定義している共存スケジュールを格納する手順と、ＷＬＡＮ期間においてのみＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ送受信機からのＷＬＡＮ信号の送信を許可する手順と、非ＷＬＡＮ期間においてのみ非ＷＬＡＮ送受信機からの非ＷＬＡＮ無線信号の送信を許可する手順と、１以上の共存要求メッセージをＷＬＡＮ送受信機から送信させる手順とが含まれる。１以上の共存要求メッセージはそれぞれ、一のＷＬＡＮ期間、および、一の非ＷＬＡＮ期間のうち少なくとも一方の長さを示す。
【０００７】
当該非一時的なコンピュータ可読媒体の実施形態は、以下に記載する特徴のうち１以上を含み得る。一部の実施形態によると、ＩＢＳＳネットワークは、１以上の第２の無線通信デバイスを含み、１以上の共存要求メッセージに応じて、１以上の第２の無線通信デバイスは、非ＷＬＡＮ期間のそれぞれにおいてＷＬＡＮ信号を送信しない。一部の実施形態によると、非ＷＬＡＮ信号は、Ｂｌｕｅｔｏｏｔｈ（登録商標）信号、ＮＦＣ（近距離通信）信号、ＦＭ信号、および、ＧＰＳ信号のうち少なくとも１つを含む。
【０００８】
概して、一の側面によると、実施形態は、第１の無線通信デバイスにおいて実現される装置であって、１以上の第２の無線通信デバイスを含むＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機（ワイヤレスローカルエリアネットワーク送受信機）と、ＷＬＡＮ送受信機が共存要求メッセージを受信することに応じて、非ＷＬＡＮ期間においてＷＬＡＮ送受信機からのＷＬＡＮ信号の送信を禁止する共存回路とを備え、共存要求メッセージはそれぞれ、一の非ＷＬＡＮ期間、および、一の非ＷＬＡＮ期間と、別の一の非ＷＬＡＮ期間との間の期間のうち少なくとも一方の長さを示す装置を特徴とする。
【０００９】
当該装置の実施形態は、以下に記載する特徴のうち１以上を含むとしてよい。一部の実施形態によると、非ＷＬＡＮ信号は、Ｂｌｕｅｔｏｏｔｈ（登録商標）信号、近距離通信（ＮＦＣ）信号、ＦＭ信号、および、ＧＰＳ信号のうち少なくとも１つを含む。一部の実施形態によると、共存要求メッセージのうち少なくとも１つは、ｃｌｅａｒ−ｔｏ−ｓｅｎｄ−ｔｏ−ｓｅｌｆフレームを含み、ｃｌｅａｒ−ｔｏ−ｓｅｎｄ−ｔｏ−ｓｅｌｆフレームは、期間パラメータを含み、期間パラメータは、一の非ＷＬＡＮ期間の長さを示す。一部の実施形態によると、共存要求メッセージのうち少なくとも１つは、ベンダ固有動作フレームを含み、ベンダ固有動作フレームは、期間パラメータを含み、期間パラメータは、一の非ＷＬＡＮ期間の長さを示す。一部の実施形態によると、共存要求メッセージのうち少なくとも１つは、ベンダ固有動作フレームを含み、ベンダ固有動作フレームは、期間パラメータを含み、期間パラメータは、一の非ＷＬＡＮ期間と、別の一の非ＷＬＡＮ期間との間の期間の長さを示す。一部の実施形態は、当該装置を備える無線通信デバイスを含む。一部の実施形態によると、無線通信デバイスは、携帯電話、ＰＤＡ（携帯情報端末）、タブレットコンピュータ、および、パーソナルコンピュータのうち１つとして実現される。一部の実施形態によると、無線通信デバイスは、８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している。
【００１０】
１以上の実施例の詳細な内容を添付図面および以下の部分で説明する。他の特徴については、以下の説明および図面から、そして請求項から明らかである。
【図面の簡単な説明】
【００１１】
【図１】一実施形態に係る、複数の技術を利用する無線通信システムの構成要素を示す図である。
【００１２】
【図２】一実施形態に係る、図１の複数の技術を利用する無線通信システムを示す詳細図である。
【００１３】
【図３】一実施形態に係る、図１のＷＬＡＮ通信デバイスを示す詳細図である。
【００１４】
【図４】一実施形態に係る共存スケジュールを説明するための図である。
【００１５】
【図５】ＩＥＥＥ８０２．１１ｇ規格に応じたＣＴＳ−ｔｏ−ｓｅｌｆフレーム形式を示す図である。
【００１６】
【図６】一実施形態に係る、図４の共存スケジュールに準拠して決まるＣＴＳ−ｔｏ−ｓｅｌｆフレームの送信タイミングを示す図である。
【００１７】
【図７】図６の実施形態に係る、図１の複数の技術を利用する無線通信システムのプロセスを示す図である。
【００１８】
【図８】ＩＥＥＥ８０２．１１規格に応じたベンダ固有動作フレームの形式を示す図である。
【００１９】
【図９】ＩＥＥＥ８０２．１１規格に応じたベンダ独自の情報要素の形式を示す図である。
【００２０】
【図１０】期間パラメータが後続のＢｌｕｅｔｏｏｔｈ（登録商標）期間の長さを示す実施形態に応じた、図４の共存スケジュールに準拠して決まるベンダ固有動作フレームの送信タイミングを示す図である。
【００２１】
【図１１】図１０の実施形態に応じた、図１の複数の技術を利用する無線通信システムのプロセスを示す図である。
【００２２】
【図１２】期間パラメータが現在のＷＬＡＮ期間の長さを示す実施形態に応じた、図４の共存スケジュールに準拠して決まるベンダ固有動作フレームの送信タイミングを示す図である。
【００２３】
【図１３】ＩＥＥＥ８０２．１１規格に応じたＵＡＰＳＤ（Ｕｎｓｃｈｅｄｕｌｅｄ  Ａｕｔｏｍａｔｉｃ  Ｐｏｗｅｒ  Ｓａｖｅ  Ｄｅｌｉｖｅｒｙ）情報要素の形式を示す図である。
【００２４】
【図１４】図１３の実施形態に応じた、図１の複数の技術を利用する無線通信システムのプロセスを示す図である。
【００２５】
本明細書で用いる各参照番号の最大桁は、当該参照番号が最初に登場する図面の番号を示す。
【発明を実施するための形態】
【００２６】
本開示の実施形態は、ＩＥＥＥ８０２．１１に準拠したＩＢＳＳ（Ｉｎｄｅｐｅｎｄｅｎｔ  Ｂａｓｉｃ  Ｓｅｒｖｉｃｅ  Ｓｅｔ：独立基本サービスセット）ネットワークにおける複数の技術を利用する無線通信デバイスが共存できるようにする。具体的には、一の側面によると、開示されている実施形態は、ワイヤレスローカルエリアネットワーク（ＷＬＡＮ）技術およびＢｌｕｅｔｏｏｔｈ（登録商標）技術の共存について説明する。しかし、開示した実施形態はＷＬＡＮ技術およびＢｌｕｅｔｏｏｔｈ（登録商標）技術に関して説明しているが、開示した技術は他の無線技術にも同様に適用可能である。無線技術には、Ｂｌｕｅｔｏｏｔｈ（登録商標）を除く、ＷＬＡＮ以外の無線信号を含むとしてよい。例えば、ＷＬＡＮ以外の無線信号には、近距離通信（ＮＦＣ）信号、ＦＭ信号、ＧＰＳ信号、他のＩＳＭ帯域信号等が含まれるとしてよい。
【００２７】
説明した実施形態によると、複数の技術を利用する無線通信デバイスはＩＢＳＳで動作する。無線技術には、ワイヤレスローカルエリアネットワーク（ＷＬＡＮ）技術およびＷＬＡＮ以外の無線技術が含まれる。例えば、ＷＬＡＮ技術は、ＩＥＥＥ８０２．１１規格に基づいた技術であってよく、ＷＬＡＮ以外の技術には、Ｂｌｕｅｔｏｏｔｈ（登録商標）信号、近距離通信（ＮＦＣ）信号、ＦＭ信号、ＧＰＳ信号、他のＩＳＭ帯域信号等が含まれるとしてよい。複数の技術を利用する無線通信デバイスは、ＷＬＡＮ期間においてＷＬＡＮ信号を送信するＷＬＡＮ送受信機と、非ＷＬＡＮ期間において非ＷＬＡＮ無線信号を送信する非ＷＬＡＮ送受信機とを備える。
【００２８】
一実施形態によると、ＷＬＡＮ送受信機は、それぞれの非ＷＬＡＮ期間について共存要求メッセージを送信する。本明細書で用いる場合、「メッセージ」という用語は概して、デジタルメッセージを表す無線電子信号を意味する。各共存要求メッセージは、複数のＷＬＡＮ期間のうち対応するＷＬＡＮ期間の長さを示すか、または、複数の非ＷＬＡＮ期間のうち対応する非ＷＬＡＮ期間の長さを示す。各共存要求メッセージに応じて、ＩＢＳＳに含まれる他のＷＬＡＮデバイスは、対応する非ＷＬＡＮ期間においてはＷＬＡＮ信号を送信しない。この結果、ＷＬＡＮ信号と非ＷＬＡＮ無線信号との間の干渉が少なくなるか、または、無くなる。
【００２９】
図１は、一実施形態に係る、複数の技術を利用する無線通信システム１００の構成要素を示す図である。説明した実施形態では、複数の技術を利用する無線通信システム１００の構成要素は一の配置例で図示しているが、他の実施形態は他の配置例を特徴としてもよい。例えば、複数の技術を利用する無線通信システム１００の構成要素は、ハードウェア、ソフトウェアまたはこれらの組み合わせで実現されるとしてもよい。
【００３０】
図１を参照しつつ説明すると、複数の技術を利用する無線通信システム１００は、複数の技術を利用する無線通信デバイス１０２と、１以上のＷＬＡＮ通信デバイス１０４Ａ−Ｎと、Ｂｌｕｅｔｏｏｔｈ（登録商標）通信デバイス１０６とを備える。複数の技術を利用する無線通信デバイス１０２は、本明細書で説明している機能を実行可能な任意の無線通信デバイスとして実現され得る。例えば、複数の技術を利用する無線通信デバイス１０２は、スマートフォンまたはフィーチャーフォン等の携帯電話、携帯情報端末（ＰＤＡ）、タブレットコンピュータ、パーソナルコンピュータ等として実現され得る。
【００３１】
ＷＬＡＮ通信デバイス１０４は、本明細書で説明している機能を実行可能な任意の無線通信デバイスとして実現され得る。例えば、各ＷＬＡＮ通信デバイス１０４は、スマートフォンまたはフィーチャーフォン等の携帯電話、携帯情報端末（ＰＤＡ）、タブレットコンピュータ、パーソナルコンピュータ等として実現され得る。また、各ＷＬＡＮ通信デバイス１０４は、複数の技術を利用する無線通信デバイス１０２として実現されるとしてもよいが、これは必須ではない。
【００３２】
複数の技術を利用する無線通信デバイス１０２およびＷＬＡＮ通信デバイス１０４は、ＩＢＳＳ（Ｉｎｄｅｐｅｎｄｅｎｔ  Ｂａｓｉｃ  Ｓｅｒｖｉｃｅ  Ｓｅｔ：独立基本サービスセット）を形成している。つまり、複数の技術を利用する無線通信デバイス１０２およびＷＬＡＮ通信デバイス１０４は、アドホックＷＬＡＮ１０８を介して通信を行う。一部の実施形態によると、アドホックＷＬＡＮ１０８は、ＩＥＥＥ規格８０２．１１の全てまたは一部に準拠している。ＩＥＥＥ規格８０２．１１には、８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および８０２．１１ａｉ等の規格案および承認済みの修正が含まれる。複数の技術を利用する無線通信デバイス１０２は、無線Ｂｌｕｅｔｏｏｔｈ（登録商標）リンク１１０を介して、Ｂｌｕｅｔｏｏｔｈ（登録商標）通信デバイス１０６と通信する。
【００３３】
図２は、一実施形態に係る、図１の複数の技術を利用する無線通信デバイス１０２を示す詳細図である。説明した実施形態では、複数の技術を利用する無線通信デバイス１０２の構成要素は一の配置例で図示しているが、他の実施形態は他の配置例を特徴としてもよい。例えば、複数の技術を利用する無線通信デバイス１０２の構成要素は、ハードウェア、ソフトウェアまたはこれらの組み合わせで実現されるとしてもよい。
【００３４】
図２を参照すると、複数の技術を利用する無線通信デバイス１０２は、ＷＬＡＮ送受信機２０２と、Ｂｌｕｅｔｏｏｔｈ（登録商標）送受信機２０４と、共存回路２０６と、メモリ２１２と、タイマ２１６とを備える。共存回路２０６は、プロセッサとして実現され得る。ＷＬＡＮ送受信機２０２、Ｂｌｕｅｔｏｏｔｈ（登録商標）送受信機２０４、共存回路２０６、メモリ２１２およびタイマ２１６は、１以上の集積回路として製造され得る。
【００３５】
ＷＬＡＮ送受信機２０２は、アドホックＷＬＡＮ１０８を介して、ＷＬＡＮ信号２０８を送信および受信（または送受信）する。Ｂｌｕｅｔｏｏｔｈ（登録商標）送受信機２０４は、Ｂｌｕｅｔｏｏｔｈ（登録商標）リンク１１０を介してＢｌｕｅｔｏｏｔｈ（登録商標）信号２１０を送受信する。共存回路２０６は、ＷＬＡＮ送受信機２０２およびＢｌｕｅｔｏｏｔｈ（登録商標）送受信機２０４をスケジューリングして、複数の技術を利用する無線通信デバイス１０２が送信するＷＬＡＮ信号２０８とＢｌｕｅｔｏｏｔｈ（登録商標）信号２１０との間で干渉が発生しないようにする。共存回路２０６はさらに、ＷＬＡＮ送受信機２０２からアドホックＷＬＡＮ１０８を介して共存要求メッセージを送信させて、ＷＬＡＮ通信デバイス１０４が送信するＢｌｕｅｔｏｏｔｈ（登録商標）信号２１０とＷＬＡＮ信号２０８との間で干渉が発生しないようにする。メモリ２１２は、共存スケジュール２１４を格納する。
【００３６】
図３は、一実施形態に係る図１のＷＬＡＮ通信デバイス１０４を示す詳細な図である。説明した実施形態では、ＷＬＡＮ通信デバイス１０４の構成要素は一の配置例で図示しているが、他の実施形態は他の配置例を特徴としてもよい。例えば、ＷＬＡＮ通信デバイス１０４の構成要素は、ハードウェア、ソフトウェアまたはこれらの組み合わせで実現されるとしてもよい。
【００３７】
図３を参照すると、ＷＬＡＮ通信デバイス１０４は、ワイヤレスローカルエリアネットワーク（ＷＬＡＮ）送受信機３０２、共存回路３０６、タイマ３１６を備える。共存回路３０６は、プロセッサとして実現され得る。ＷＬＡＮ送受信機３０２、共存回路３０６、および、タイマ３１６は、１以上の集積回路として製造され得る。
【００３８】
ＷＬＡＮ送受信機３０２は、アドホックＷＬＡＮ１０８を介してＷＬＡＮ信号２０８を送受信する。共存回路３０６は、複数の技術を利用する無線通信デバイス１０２が送信する共存要求メッセージに応じてＷＬＡＮ送受信機３０２をスケジューリングして、ＷＬＡＮ通信デバイス１０４およびＢｌｕｅｔｏｏｔｈ（登録商標）信号２１０が送信するＷＬＡＮ信号２０８の間で干渉が発生しないようにする。
【００３９】
複数の技術を利用する無線通信デバイス１０２は、共存スケジュール２１４およびタイマ２１６に応じて、無線Ｂｌｕｅｔｏｏｔｈ（登録商標）リンク１１０を介してＢｌｕｅｔｏｏｔｈ（登録商標）通信デバイス１０６と通信する。図４は、一実施形態に係る共存スケジュール２１４を示す図である。共存スケジュール２１４は、Ｂｌｕｅｔｏｏｔｈ（登録商標）期間４０２およびＷＬＡＮ期間４０４から構成される。一般的に、スケジュールは周期性があるので、全てのＢｌｕｅｔｏｏｔｈ（登録商標）期間４０２の長さが同じＴｂｔであり、全てのＷＬＡＮ期間４０４の長さが同じＴｗｌａｎである。しかし、この周期性は必ずしも必要ではない。一般的に、ＷＬＡＮ期間４０４の長さＴｗｌａｎは、Ｂｌｕｅｔｏｏｔｈ（登録商標）期間４０２の長さＴｂｔよりも長いが、これも必須ではない。
【００４０】
共存スケジュール２１４は、複数の技術を利用する無線通信デバイス１０２に既知である。このため、共存回路２０６は、共存スケジュール２１４およびタイマ２１６に応じて確定的にＷＬＡＮ送受信機２０２およびＢｌｕｅｔｏｏｔｈ（登録商標）送受信機２０４の送信を制御して、送信間で干渉が発生しないようにすることができる。具体的には、共存回路２０６は、ＷＬＡＮ期間４０４にのみＷＬＡＮ送受信機２０２からＷＬＡＮ信号２０８を送信可能とし、Ｂｌｕｅｔｏｏｔｈ（登録商標）期間４０２にのみＢｌｕｅｔｏｏｔｈ（登録商標）送受信機２０４からＢｌｕｅｔｏｏｔｈ（登録商標）信号２１０を送信可能とする。
【００４１】
しかし、共存スケジュール２１４は、ＷＬＡＮ通信デバイス１０４に既知でない。ＷＬＡＮ通信デバイス１０４の送信と、Ｂｌｕｅｔｏｏｔｈ（登録商標）信号２１０との間で干渉が発生しないように、複数の技術を利用する無線通信デバイス１０２の共存回路２０６は、ＷＬＡＮ送受信機２０２から共存要求メッセージを送信させる。各共存要求メッセージは、複数のＷＬＡＮ期間４０４のうち一のＷＬＡＮ期間の長さを示すか、または、複数のＢｌｕｅｔｏｏｔｈ（登録商標）期間４０２のうち一のＢｌｕｅｔｏｏｔｈ（登録商標）期間の長さを示す。各ＷＬＡＮ通信デバイス１０４において、ＷＬＡＮ送受信機３０２が共存要求メッセージを受信することに応じて、共存回路３０６は、ＷＬＡＮ送受信機３０２から、複数のＢｌｕｅｔｏｏｔｈ（登録商標）期間４０２のうち一のＢｌｕｅｔｏｏｔｈ（登録商標）期間においてＷＬＡＮ信号２０８の送信を禁止する。Ｂｌｕｅｔｏｏｔｈ（登録商標）通信デバイス１０６は、共存スケジュール２１４を把握しているので、Ｂｌｕｅｔｏｏｔｈ（登録商標）期間４０２にのみＢｌｕｅｔｏｏｔｈ（登録商標）信号２１０を送信する。
【００４２】
一部の実施形態によると、共存要求メッセージは、ｃｌｅａｒ−ｔｏ−ｓｅｎｄ−ｔｏ−ｓｅｌｆ（ＣＴＳ−ｔｏ−ｓｅｌｆ）フレームとして実現される。図５は、ＩＥＥＥ８０２．１１ｇ規格に応じたＣＴＳ−ｔｏ−ｓｅｌｆフレームの形式を示す図である。ＣＴＳ−ｔｏ−ｓｅｌｆフレームは、２オクテットのフレーム制御フィールドと、２オクテットの期間フィールドと、６オクテットの受信側アドレス（ＲＡ）フィールドと、４オクテットのフレームチェックシーケンス（ＦＣＳ）フィールドとを含む。ＲＡフィールドは、複数の技術を利用する無線通信デバイス１０２のＭＡＣアドレスを含む。期間フィールドは、次のＢｌｕｅｔｏｏｔｈ（登録商標）期間４０２の長さを示す期間パラメータを含む。
【００４３】
図６は、一実施形態に係る、図４の共存スケジュール２１４に基づくＣＴＳ−ｔｏ−ｓｅｌｆフレームの送信タイミングを示す図である。図６を参照すると、複数の技術を利用する無線通信デバイス１０２の共存回路２０６は、各Ｂｌｕｅｔｏｏｔｈ（登録商標）期間４０２の開始の直前にＷＬＡＮ送受信機２０２からＣＴＳ−ｔｏ−ｓｅｌｆフレーム６０２を送信させる。各ＣＴＳ−ｔｏ−ｓｅｌｆフレーム６０２の期間パラメータは、後続のＢｌｕｅｔｏｏｔｈ（登録商標）期間４０２の長さを示す。ＷＬＡＮ通信デバイス１０４のＷＬＡＮ送受信機３０２は、ＣＴＳ−ｔｏ−ｓｅｌｆフレーム６０２を受信する。
【００４４】
各ＷＬＡＮ通信デバイス１０４において、ＷＬＡＮ送受信機３０２がＣＴＳ−ｔｏ−ｓｅｌｆフレーム６０２を受信することに応じて、共存回路３０６は、当該ＣＴＳ−ｔｏ−ｓｅｌｆフレーム６０２に含まれる期間パラメータによって特定されている期間については、ＷＬＡＮ送受信機３０２からのＷＬＡＮ信号２０８の送信を禁止する。つまり、共存回路３０６は、後続のＢｌｕｅｔｏｏｔｈ（登録商標）期間４０２において、ＷＬＡＮ送受信機３０２からＷＬＡＮ信号２０８を送信させない。
【００４５】
図７は、図６の実施形態に係る、図１の複数の技術を利用する無線通信システム１００の処理７００を示す。説明した実施形態では、処理７００の構成要素は一の配置例で図示しているが、他の実施形態は他の配置例を特徴としてもよい。例えば、さまざまな実施形態によると、処理７００の構成要素の一部または全ては、順序を変えて、同時に、実行可能である。また、処理７００の一部の構成要素は実行を省略するとしてもよく、構成要素同士が互いの直前直後に実行されないとしてもよい。図７は、２つのフローを含み、複数の技術を利用する無線通信デバイス１０２が行う処理は左側のフローに図示しており、ＷＬＡＮ通信デバイス１０４が行う処理は右側のフローに図示している。
【００４６】
図７を参照すると、７０２および７０４において、ＷＬＡＮ期間４０４が開始される。ＷＬＡＮ期間４０４において、ＷＬＡＮ送信は、複数の技術を利用する無線通信デバイス１０２およびＷＬＡＮ通信デバイス１０４の両方に許可される。７０６において、複数の技術を利用する無線通信デバイス１０２は、ＷＬＡＮ期間４０４の終了タイミングを決定する。具体的には、複数の技術を利用する無線通信デバイス１０２の共存回路２０６は、メモリ２１２に格納されている共存スケジュール２１４およびタイマ２１６を確認する。７０８において、ＷＬＡＮ期間４０４の終了直前において、複数の技術を利用する無線通信デバイス１０２は、後続のＢｌｕｅｔｏｏｔｈ（登録商標）期間４０２の長さを含むＣＴＳ−ｔｏ−ｓｅｌｆフレーム６０２を送信する。この後、Ｂｌｕｅｔｏｏｔｈ（登録商標）期間４０２が開始される。共存回路２０６は、Ｂｌｕｅｔｏｏｔｈ（登録商標）期間４０２においては複数の技術を利用する無線通信デバイス１０２からのＷＬＡＮ送信を禁止する。
【００４７】
７１０において、ＷＬＡＮ通信デバイス１０４は、ＣＴＳ−ｔｏ−ｓｅｌｆフレーム６０２を受信して、当該フレーム６０２からＢｌｏｕｅｔｏｏｔｈ（登録商標）期間４０２の長さを取得する。Ｂｌｕｅｔｏｏｔｈ（登録商標）期間４０２が開始される。共存回路３０６は、Ｂｌｕｅｔｏｏｔｈ（登録商標）期間４０２においてはＷＬＡＮ通信デバイス１０４によるＷＬＡＮ送信を禁止する。
【００４８】
７１２において、複数の技術を利用する無線通信デバイス１０２は、Ｂｌｕｅｔｏｏｔｈ（登録商標）期間４０２が終了したタイミングを決定する。具体的には、複数の技術を利用する無線通信デバイス１０２の共存回路２０６は、タイマ２１６およびメモリ２１２に格納されている共存スケジュール２１４を確認する。Ｂｌｕｅｔｏｏｔｈ（登録商標）期間４０２が終了すると、７０２において次のＷＬＡＮ期間が開始される。共存回路２０６は、ＷＬＡＮ期間４０４において複数の技術を利用する無線通信デバイス１０２によるＷＬＡＮ送信を許可する。
【００４９】
７１４において、ＷＬＡＮ通信デバイス１０４は、ピアのＢｌｕｅｔｏｏｔｈ（登録商標）期間４０２が終了したタイミング（つまり、複数の技術を利用する無線通信デバイス１０２のためのＢｌｕｅｔｏｏｔｈ（登録商標））期間４０２が終了したタイミング）を決定する。具体的には、ＷＬＡＮ通信デバイス１０４の共存回路３０６は、タイマ３１６およびＣＴＳ−ｔｏ−ｓｅｌｆフレーム６０２から取得した期間を利用して、ピアのＢｌｕｅｔｏｏｔｈ（登録商標）期間４０２が終了したタイミングを決定する。ピアのＢｌｕｅｔｏｏｔｈ（登録商標）期間４０２が終了すると、７０４において次のＷＬＡＮ期間が開始される。共存回路３０６は、ＷＬＡＮ期間４０４におけるＷＬＡＮ通信デバイス１０４によるＷＬＡＮ送信を許可する。
【００５０】
一部の実施形態によると、共存要求メッセージは、ベンダ固有動作フレームとして実現される。ベンダ固有動作フレームは、期間パラメータを含む。共存要求メッセージはさらに、ビーコン、および、可能であれば、プローブ要求／応答メッセージを利用して送信可能である。一部の実施形態によると、期間パラメータは、後続のＢｌｕｅｔｏｏｔｈ（登録商標）期間４０２の長さを示す。他の実施形態によると、期間パラメータは、現在のＷＬＡＮ期間４０４の長さを示す。
【００５１】
図８は、ＩＥＥＥ８０２．１１規格に応じたベンダ固有動作フレームの形式を示す図である。図８を参照すると、ベンダ固有動作フレームは、１オクテットのカテゴリーフィールドと、３オクテットのＯＵＩフィールドと、可変長のベンダ固有コンテンツフィールドとを含む。カテゴリーフィールドは、ベンダ固有カテゴリを示す値に設定される。ＯＵＩフィールドは、ＩＥＥＥによって割り当てられた、特定のベンダ固有動作のコンテンツを定義しているエンティティの公開ＯＵＩを含む。ベンダ固有コンテンツフィールドは、１以上のベンダ固有フィールドを含む。説明した実施形態では、ベンダ固有コンテンツフィールドがベンダ固有情報要素を含む。
【００５２】
一部の実施形態によると、ベンダ固有動作フレームは、期間パラメータを含むベンダ固有情報要素を含む。図９は、ＩＥＥＥ８０２．１１規格に応じた、ベンダ固有情報要素の形式を示す。図９を参照すると、ベンダ固有情報要素は、１オクテットの要素ＩＤフィールドと、１オクテットの長さフィールドと、３オクテットのＯＵＩフィールドと、可変長のベンダ固有コンテンツフィールドとを含む。要素ＩＤフィールドは、情報要素がベンダ固有情報要素である旨を示す。ＯＵＩフィールドは、ＩＥＥＥによって割り当てられた公開ＯＵＩを含む。ベンダ固有コンテンツフィールドは、１以上のベンダ固有フィールドを含む。説明した実施形態では、ベンダ固有コンテンツフィールドが期間パラメータを含む。他の実施形態によると、ベンダ固有動作フレームは、期間パラメータを含む、ＷｉＦｉダイレクトの不在通知（Ｎｏｔｉｃｅ  ｏｆ  Ａｂｓｅｎｃｅ）要素を含む。
【００５３】
図１０は、期間パラメータが後続のＢｌｕｅｔｏｏｔｈ（登録商標）期間４０２の期間を示す実施形態に係る、図４の共存スケジュール２１４を基準とするベンダ固有動作フレームの送信タイミングを示す図である。図１０を参照すると、複数の技術を利用する無線通信デバイス１０２の共存回路２０６は、各Ｂｌｕｅｔｏｏｔｈ（登録商標）期間４０２の開始直前に、ＷＬＡＮ送受信機２０２からベンダ固有動作フレーム１００２を送信させる。各ベンダ固有動作フレーム１００２の期間パラメータは、後続のＢｌｕｅｔｏｏｔｈ（登録商標）期間４０２の長さを示す。ＷＬＡＮ通信デバイス１０４のＷＬＡＮ送受信機３０２は、ベンダ固有動作フレーム１００２を受信する。
【００５４】
各ＷＬＡＮ通信デバイス１０４において、ＷＬＡＮ送受信機３０２がベンダ固有動作フレーム１００２を受信することに応じて、共存回路３０６は、当該ベンダ固有動作フレーム１００２に含まれている期間パラメータが示す期間について、ＷＬＡＮ送受信機３０２からのＷＬＡＮ信号２０８の送信を禁止する。つまり、共存回路３０６は、後続のＢｌｕｅｔｏｏｔｈ（登録商標）期間４０２においてＷＬＡＮ送受信機３０２からＷＬＡＮ信号２０８の送信を禁止する。
【００５５】
図１１は、図１０の実施形態に応じた、図１の複数の技術を利用する無線通信システム１００の処理１１００を示す図である。説明した実施形態では、処理１１００の構成要素は一の配置例で図示しているが、他の実施形態は他の配置例を特徴としてもよい。例えば、さまざまな実施形態によると、処理１１００の構成要素の一部または全ては、順序を変えて、同時に、実行可能である。また、処理１１００の一部の構成要素は実行を省略するとしてもよく、構成要素同士が互いの直前直後に実行されないとしてもよい。図１１は、２つのフローを含み、複数の技術を利用する無線通信デバイス１０２が行う処理は左側のフローに図示しており、ＷＬＡＮ通信デバイス１０４が行う処理は右側のフローに図示している。
【００５６】
図１１を参照すると、１１０２および１１０４において、ＷＬＡＮ期間４０４が開始される。ＷＬＡＮ期間４０４において、ＷＬＡＮ送信は、複数の技術を利用する無線通信デバイス１０２およびＷＬＡＮ通信デバイス１０４の両方に許可される。１１０６において、複数の技術を利用する無線通信デバイス１０２は、ＷＬＡＮ期間４０４の終了タイミングを決定する。具体的には、複数の技術を利用する無線通信デバイス１０２の共存回路２０６は、メモリ２１２に格納されている共存スケジュール２１４およびタイマ２１６を確認する。１１０８において、ＷＬＡＮ期間４０４の終了前において、複数の技術を利用する無線通信デバイス１０２は、後続のＢｌｕｅｔｏｏｔｈ（登録商標）期間４０２の長さを含むベンダ固有動作フレーム１００２を送信する。この後、Ｂｌｕｅｔｏｏｔｈ（登録商標）期間４０２が開始される。共存回路２０６は、Ｂｌｕｅｔｏｏｔｈ（登録商標）期間４０２においては複数の技術を利用する無線通信デバイス１０２からのＷＬＡＮ送信を禁止する。
【００５７】
１１１０において、ＷＬＡＮ通信デバイス１０４は、ベンダ固有動作フレーム１００２を受信して、当該フレーム１００２からＢｌｏｕｅｔｏｏｔｈ（登録商標）期間４０２の長さを取得する。Ｂｌｕｅｔｏｏｔｈ（登録商標）期間４０２が開始される。共存回路３０６は、Ｂｌｕｅｔｏｏｔｈ（登録商標）期間４０２においてはＷＬＡＮ通信デバイス１０４によるＷＬＡＮ送信を禁止する。
【００５８】
１１１２において、複数の技術を利用する無線通信デバイス１０２は、Ｂｌｕｅｔｏｏｔｈ（登録商標）期間４０２が終了したタイミングを決定する。具体的には、複数の技術を利用する無線通信デバイス１０２の共存回路２０６は、タイマ２１６およびメモリ２１２に格納されている共存スケジュール２１４を確認する。Ｂｌｕｅｔｏｏｔｈ（登録商標）期間４０２が終了すると、１１０２において次のＷＬＡＮ期間が開始される。共存回路２０６は、ＷＬＡＮ期間４０４において複数の技術を利用する無線通信デバイス１０２によるＷＬＡＮ送信を許可する。
【００５９】
１１１４において、ＷＬＡＮ通信デバイス１０４は、ピアのＢｌｕｅｔｏｏｔｈ（登録商標）期間４０２が終了したタイミング（つまり、複数の技術を利用する無線通信デバイス１０２のためのＢｌｕｅｔｏｏｔｈ（登録商標））期間４０２が終了したタイミング）を決定する。具体的には、ＷＬＡＮ通信デバイス１０４の共存回路３０６は、タイマ３１６およびベンダ固有動作フレーム１００２から取得した期間を利用して、ピアのＢｌｕｅｔｏｏｔｈ（登録商標）期間４０２が終了したタイミングを決定する。ピアのＢｌｕｅｔｏｏｔｈ（登録商標）期間４０２が終了すると、１１０４において次のＷＬＡＮ期間４０４が開始される。共存回路３０６は、ＷＬＡＮ期間４０４におけるＷＬＡＮ通信デバイス１０４によるＷＬＡＮ送信を許可する。
【００６０】
図１２は、期間パラメータが現在のＷＬＡＮ期間４０４の長さを示す実施形態に応じた、図４の共存スケジュール２１４を基準としたベンダ固有動作フレームの送信タイミングを示す図である。図１２を参照すると、複数の技術を利用する無線通信デバイス１０２の共存回路２０６は、各ＷＬＡＮ期間４０４の開始時点においてにＷＬＡＮ送受信機２０２からベンダ固有動作フレーム１２０２を送信させる。各ベンダ固有動作フレーム１２０２の期間パラメータは、そのＷＬＡＮ期間４０４の長さを示す。ＷＬＡＮ通信デバイス１０４のＷＬＡＮ送受信機３０２は、ベンダ固有動作フレーム１２０２を受信する。
【００６１】
各ＷＬＡＮ通信デバイス１０４において、ＷＬＡＮ送受信機３０２がベンダ固有動作フレーム１２０２を受信することに応じて、共存回路３０６は、当該ベンダ固有動作フレーム１２０２に含まれる期間パラメータによって特定されている期間にのみ、ＷＬＡＮ送受信機３０２からのＷＬＡＮ信号２０８の送信を許可する。つまり、共存回路３０６は、そのＷＬＡＮ期間４０４にのみ、ＷＬＡＮ送受信機３０２からのＷＬＡＮ信号２０８の送信を許可する。
【００６２】
一部の実施形態によると、ベンダ固有動作フレームは、期間パラメータを含むＵＡＰＳＤ（Ｕｎｓｃｈｅｄｕｌｅｄ  Ａｕｔｏｍａｔｉｃ  Ｐｏｗｅｒ  Ｓａｖｅ  Ｄｅｌｉｖｅｒｙ）情報要素を含む。図１３は、ＩＥＥＥ８０２．１１規格に応じたＵＡＰＳＤ情報要素の形式を示す図である。図１３を参照すると、ＵＡＰＳＤ情報要素は、１オクテットの要素ＩＤフィールドと、１オクテットの長さフィールドと、８オクテットのＴＳＦ０オフセットフィールドと、４オクテット期間／長さフィールドと、可変長の任意サブ要素フィールドとを含む。
【００６３】
要素ＩＤフィールドは、当該情報要素がＵＡＰＳＤ情報要素であると特定する所定値を含む。長さフィールドの値は、１２と、追加サブ要素が含まれている場合にはその長さとの合計である。ＴＳＦ０オフセットフィールドは、本実施形態では必要ない。期間／長さフィールドは、期間パラメータを含む。任意サブ要素フィールド形式は、ゼロまたは１以上のサブ要素を含む。
【００６４】
図１４は、図１３の実施形態に応じた、図１の複数の技術を利用する無線通信システム１００の処理１４００を示す図である。説明した実施形態では、処理１４００の構成要素は一の配置例で図示しているが、他の実施形態は他の配置例を特徴としてもよい。例えば、さまざまな実施形態によると、処理１４００の構成要素の一部または全ては、順序を変えて、同時に、実行可能である。また、処理１４００の一部の構成要素は実行を省略するとしてもよく、構成要素同士が互いの直前直後に実行されないとしてもよい。図１４は、２つのフローを含み、複数の技術を利用する無線通信デバイス１０２が行う処理は左側のフローに図示しており、ＷＬＡＮ通信デバイス１０４が行う処理は右側のフローに図示している。
【００６５】
図１４を参照すると、１４０２および１４０４において、複数の技術を利用する無線通信デバイス１０２についてＢｌｕｅｔｏｏｔｈ（登録商標）期間４０２が開始される。Ｂｌｕｅｔｏｏｔｈ（登録商標）期間４０２において、ＷＬＡＮ送信は、複数の技術を利用する無線通信デバイス１０２およびＷＬＡＮ通信デバイス１０４の両方について禁止される。１４０６において、複数の技術を利用する無線通信デバイス１０２は、Ｂｌｕｅｔｏｏｔｈ（登録商標）期間４０２の終了タイミングを決定する。具体的には、複数の技術を利用する無線通信デバイス１０２の共存回路２０６は、メモリ２１２に格納されている共存スケジュール２１４およびタイマ２１６を確認する。１４０８において、Ｂｌｕｅｔｏｏｔｈ（登録商標）期間４０２の終了後において、複数の技術を利用する無線通信デバイス１０２は、現在のＷＬＡＮ期間４０４の長さを含むベンダ固有動作フレーム１３０２を送信する。共存回路２０６は、ＷＬＡＮ期間４０４の間のみ複数の技術を利用する無線通信デバイス１０２からのＷＬＡＮ送信を許可する。
【００６６】
１４１０において、ＷＬＡＮ通信デバイス１０４は、ベンダ固有動作フレーム１３０２を受信して、当該フレーム１３０２からＷＬＡＮ期間４０４の長さを取得する。ＷＬＡＮ期間４０４が開始される。共存回路３０６は、ＷＬＡＮ期間４０４の間のみ、ＷＬＡＮ通信デバイス１０４によるＷＬＡＮ送信を許可する。
【００６７】
１４１２において、複数の技術を利用する無線通信デバイス１０２は、ＷＬＡＮ期間４０４が終了したタイミングを決定する。具体的には、複数の技術を利用する無線通信デバイス１０２の共存回路２０６は、タイマ２１６およびメモリ２１２に格納されている共存スケジュール２１４を確認する。ＷＬＡＮ期間４０４が終了すると、１４０２において次のＢｌｕｅｔｏｏｔｈ（登録商標）期間が開始される。共存回路２０６は、Ｂｌｕｅｔｏｏｔｈ（登録商標）期間４０２において複数の技術を利用する無線通信デバイス１０２によるＷＬＡＮ送信を禁止する。
【００６８】
１４１４において、ＷＬＡＮ通信デバイス１０４は、ＷＬＡＮ期間４０４が終了したタイミングを決定する。具体的には、ＷＬＡＮ通信デバイス１０４の共存回路３０６は、タイマ３１６およびベンダ固有動作フレーム１３０２から取得した期間を利用して、ＷＬＡＮ期間４０４が終了したタイミングを決定する。ＷＬＡＮ期間４０４が終了すると、１４０４において次のＢｌｕｅｔｏｏｔｈ（登録商標）期間４０２が開始される。共存回路３０６は、Ｂｌｕｅｔｏｏｔｈ（登録商標）期間４０２においてＷＬＡＮ通信デバイス１０４によるＷＬＡＮ送信を禁止する。
【００６９】
ＣＴＳ−ｔｏ−ｓｅｌｆフレームおよびベンダ固有動作フレームを用いた複数の実施形態について説明した。一部のデバイスでは、これらの実施形態のうち１つのみを実現する。他のデバイスでは、説明した実施形態のうち２以上を実現して、ネットワーク状況等の要因に応じて動的に選択する。例えば、ＣＴＳ−ｔｏ−ｓｅｌｆフレームを利用する実施形態は、ＩＢＳＳが複数の技術を利用する無線通信デバイス１０２を１つのみ含み、さらに１つのＷＬＡＮ通信デバイス１０４を含み、他のＩＢＳＳが近接していない場合に選択され得る。別の例を挙げると、ベンダ固有動作フレームを利用する実施形態は、ＩＢＳＳが複数のＷＬＡＮ通信デバイス１０４を含む場合に選択され得る。
【００７０】
本開示のさまざまな実施形態は、デジタル電子回路で、または、コンピュータハードウェア、ファームウェア、ソフトウェアで、またはこれらの組み合わせで実現され得る。本開示の実施形態は、プログラム可能プロセッサによって実行されるコンピュータ可読ストレージデバイスにおいて有形に具現化されるコンピュータプログラム製品で実現可能である。説明した処理は、入力データに対して演算を行い出力を生成することで機能を実行するための複数の命令から成るプログラムを実行するプログラム可能プロセッサによって実行され得る。本開示の実施形態は、データストレージシステムとの間でデータおよび命令を送受信するべく結合されている少なくとも１つのプログラム可能なプロセッサと、少なくとも１つの入力デバイスと、少なくとも１つの出力デバイスとを含むプログラム可能システムで実行可能な１以上のコンピュータプログラムにおいて実現され得る。各コンピュータプログラムは、高級プロシージャ言語またはオブジェクト指向型プログラミング言語で実現可能であるか、または、所望される場合にはアセンブリ言語または機械言語で実現可能であり、いずれの場合においても、コンパイラ型言語またはインタプリタ型言語のいずれかであってよい。適切なプロセッサには、一例を挙げると、汎用マイクロプロセッサおよび専用マイクロプロセッサの両方が含まれる。一般的に、プロセッサは、命令およびデータをリードオンリーメモリおよび／またはランダムアクセスメモリから受信する。一般的に、コンピュータは、データファイルを格納する１以上の大容量ストレージデバイスを含む。このようなデバイスには、内蔵ハードディスクおよび取り外し可能なディスク等の磁気ディスク、光磁気ディスク、光ディスクおよびソリッドステートディスクが含まれる。コンピュータプログラムの命令およびデータを有形に具現化するのに適しているストレージデバイスとしては、全ての形式の不揮発性メモリがある。不揮発性メモリとしては、一例に過ぎないが、ＥＰＲＯＭ、ＥＥＰＲＯＭおよびフラッシュメモリデバイス、内蔵ハードディスクおよび取り外し可能なディスク等の磁気ディスク、光磁気ディスク、およびＣＤ−ＲＯＭディスク等の半導体メモリデバイスが挙げられる。上述したものはいずれも、ＡＳＩＣ（特定用途向け集積回路）で補完されるとしてもよいし、ＡＳＩＣに組み込まれるとしてもよい。
【００７１】
複数の実施形態を説明した。しかし、本開示の範囲から逸脱することなくさまざまな点で変形するとしてもよい。したがって、他の実施形態も以下に記載する特許請求の範囲に含まれる。
［項目１］
第１の無線通信デバイスにおいて実現される装置であって、
ＷＬＡＮ期間（ワイヤレスローカルエリアネットワーク期間）および非ＷＬＡＮ期間を定義している共存スケジュールを格納するメモリと、
ＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機と、
非ＷＬＡＮ無線信号を送信する非ＷＬＡＮ送受信機と、
前記ＷＬＡＮ期間においてのみ、前記ＩＢＳＳネットワークにおいて前記ＷＬＡＮ送受信機からの前記ＷＬＡＮ信号の送信を許可する共存回路と
を備え、
前記共存回路はさらに、前記非ＷＬＡＮ期間においてのみ、前記非ＷＬＡＮ送受信機からの前記非ＷＬＡＮ無線信号の送信を許可し、
前記共存回路はさらに、前記ＷＬＡＮ送受信機から１以上の共存要求メッセージを送信させ、
前記共存要求メッセージはそれぞれ、
一の前記ＷＬＡＮ期間、および、
一の前記非ＷＬＡＮ期間、
のうち少なくとも一方の長さを示す、装置。
［項目２］
前記ＩＢＳＳネットワークは、１以上の第２の無線通信デバイスを含み、
前記１以上の共存要求メッセージに応じて、前記１以上の第２の無線通信デバイスは、前記非ＷＬＡＮ期間のそれぞれにおいてＷＬＡＮ信号を送信しない項目１に記載の装置。
［項目３］
前記非ＷＬＡＮ無線信号は、
Ｂｌｕｅｔｏｏｔｈ（登録商標）信号、
ＮＦＣ（近距離通信）信号、
ＦＭ信号、および、
ＧＰＳ信号
のうち少なくとも１つを含む項目１または２に記載の装置。
［項目４］
前記共存要求メッセージのうち少なくとも１つは、
ｃｌｅａｒ−ｔｏ−ｓｅｎｄ−ｔｏ−ｓｅｌｆフレームを含み、
前記ｃｌｅａｒ−ｔｏ−ｓｅｎｄ−ｔｏ−ｓｅｌｆフレームは、期間パラメータを含み、
前記期間パラメータは、前記一の非ＷＬＡＮ期間の長さを示す項目１から３のいずれか一項に記載の装置。
［項目５］
前記共存要求メッセージのうち少なくとも１つは、
ベンダ固有動作フレームを含み、
前記ベンダ固有動作フレームは、期間パラメータを含み、
前記期間パラメータは、前記一の非ＷＬＡＮ期間の長さを示す項目１から３のいずれか一項に記載の装置。
［項目６］
前記共存要求メッセージのうち少なくとも１つは、
ベンダ固有動作フレームを含み、
前記ベンダ固有動作フレームは期間パラメータを含み、
前記期間パラメータは、一の前記非ＷＬＡＮ期間と、別の一の前記非ＷＬＡＮ期間との間の期間の長さを示す項目１から３のいずれか一項に記載の装置。
［項目７］
項目１から６のいずれか一項に記載の装置を備える無線通信デバイス。
［項目８］
携帯電話、
ＰＤＡ（携帯情報端末）、
タブレットコンピュータ、および、
パーソナルコンピュータ
のうち１つとして実現される項目７に記載の無線通信デバイス。
［項目９］
８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している項目７または８に記載の無線通信デバイス。
［項目１０］
コンピュータに、
ＷＬＡＮ期間（ワイヤレスローカルエリアネットワーク期間）および非ＷＬＡＮ期間を定義している共存スケジュールを格納する手順と、
前記ＷＬＡＮ期間においてのみＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ送受信機からのＷＬＡＮ信号の送信を許可する手順と、
前記非ＷＬＡＮ期間においてのみ非ＷＬＡＮ送受信機からの非ＷＬＡＮ無線信号の送信を許可する手順と、
１以上の共存要求メッセージを前記ＷＬＡＮ送受信機から送信させる手順と
を実行させるためのプログラムであって、
前記１以上の共存要求メッセージはそれぞれ、
一の前記ＷＬＡＮ期間、および、
一の前記非ＷＬＡＮ期間
のうち少なくとも一方の長さを示すプログラム。
［項目１１］
前記ＩＢＳＳネットワークは、１以上の第２の無線通信デバイスを含み、
前記１以上の共存要求メッセージに応じて、前記１以上の第２の無線通信デバイスは、前記非ＷＬＡＮ期間のそれぞれにおいてＷＬＡＮ信号を送信しない項目１０に記載のプログラム。
［項目１２］
前記非ＷＬＡＮ無線信号は、
Ｂｌｕｅｔｏｏｔｈ（登録商標）信号、
ＮＦＣ（近距離通信）信号、
ＦＭ信号、および、
ＧＰＳ信号
のうち少なくとも１つを含む項目１０または１１に記載のプログラム。
［項目１３］
第１の無線通信デバイスにおいて実現される装置であって、
１以上の第２の無線通信デバイスを含むＩＢＳＳネットワーク（ｉｎｄｅｐｅｎｄｅｎｔ  ｂａｓｉｃ  ｓｅｒｖｉｃｅ  ｓｅｔ  ｎｅｔｗｏｒｋ：独立基本サービスセットネットワーク）においてＷＬＡＮ信号を送信するＷＬＡＮ送受信機（ワイヤレスローカルエリアネットワーク送受信機）と、
前記ＷＬＡＮ送受信機が共存要求メッセージを受信することに応じて、非ＷＬＡＮ期間において前記ＷＬＡＮ送受信機からの非ＷＬＡＮ信号の送信を許可する共存回路と
を備え、
前記共存要求メッセージはそれぞれ、
一の前記非ＷＬＡＮ期間、および、
一の前記非ＷＬＡＮ期間と、別の一の前記非ＷＬＡＮ期間との間の期間
のうち少なくとも一方の長さを示す装置。
［項目１４］
前記非ＷＬＡＮ信号は、
Ｂｌｕｅｔｏｏｔｈ（登録商標）信号、
近距離通信（ＮＦＣ）信号、
ＦＭ信号、および、
ＧＰＳ信号
のうち少なくとも１つを含む項目１３に記載の装置。
［項目１５］
前記共存要求メッセージのうち少なくとも１つは、
ｃｌｅａｒ−ｔｏ−ｓｅｎｄ−ｔｏ−ｓｅｌｆフレームを含み、
前記ｃｌｅａｒ−ｔｏ−ｓｅｎｄ−ｔｏ−ｓｅｌｆフレームは、期間パラメータを含み、
前記期間パラメータは、前記一の非ＷＬＡＮ期間の長さを示す項目１３または１４に記載の装置。
［項目１６］
前記共存要求メッセージのうち少なくとも１つは、
ベンダ固有動作フレームを含み、
前記ベンダ固有動作フレームは、期間パラメータを含み、
前記期間パラメータは、前記一の非ＷＬＡＮ期間の長さを示す項目１３または１４に記載の装置。
［項目１７］
前記共存要求メッセージのうち少なくとも１つは、
ベンダ固有動作フレームを含み、
前記ベンダ固有動作フレームは、期間パラメータを含み、
前記期間パラメータは、一の前記非ＷＬＡＮ期間と、別の一の前記非ＷＬＡＮ期間との間の期間の長さを示す
項目１３または１４に記載の装置。
［項目１８］
項目１３から１７のいずれか一項に記載の装置を備える無線通信デバイス。
［項目１９］
携帯電話、
ＰＤＡ（携帯情報端末）、
タブレットコンピュータ、および、
パーソナルコンピュータ
のうち１つとして実現される項目１８に記載の無線通信デバイス。
［項目２０］
８０２．１１ａ、８０２．１１ｂ、８０２．１１ｅ、８０２．１１ｇ、８０２．１１ｉ、８０２．１１ｋ、８０２．１１ｎ、８０２．１１ｖ、８０２．１１ｗ、８０２．１１ａａ、８０２．１１ａｃ、８０２．１１ａｄ、８０２．１１ａｅ、８０２．１１ａｆ、８０２．１１ａｈ、および、８０２．１１ａｉ等の規格案および承認済みの修正を含むＩＥＥＥ規格８０２．１１の全てまたは一部に準拠している項目１８または１９に記載の無線通信デバイス。
【図１】
0005943068.tif 000002
【図２】
0005943068.tif 000003
【図３】
0005943068.tif 000004
【図４】
0005943068.tif 000005
【図５】
0005943068.tif 000006
【図６】
0005943068.tif 000007
【図７】
0005943068.tif 000008
【図８】
0005943068.tif 000009
【図９】
0005943068.tif 000010
【図１０】
0005943068.tif 000011
【図１１】
0005943068.tif 000012
【図１２】
0005943068.tif 000013
【図１３】
0005943068.tif 000014
【図１４】
0005943068.tif 000015